(57)【要約】【課題】ゲートウェイ装置と監視装置との間のネットワークの負荷増を軽減し、しかも負荷機器に異常が生じたときには監視装置に迅速に通知する。【解決手段】負荷機器３の監視情報はネットワーク４を介して監視装置２に転送される。負荷機器３とネットワーク４との間にはゲートウェイ装置１が介在する。ゲートウェイ装置１はデータ収集手段１３により負荷機器３の監視情報を収集し、データ格納手段１４により監視情報をデータベースＤＢ１に格納する。データベースＤＢ１に格納された監視情報はデータ転送手段１５が監視し、データ転送手段１５では、監視情報が正常である間には規定の送信時間ごとにデータベースＤＢ１から読み出した監視情報を監視装置２に転送する。また、監視情報に異常があれば即時にデータベースＤＢ１から監視情報を読み出して監視装置２に転送する。【選択図】　　　　図１
2004054357.tif 000002
【特許請求の範囲】
【請求項１】
負荷機器とネットワークとの間に介在し負荷機器の監視情報をネットワークを介して監視装置に転送するゲートウェイ装置における情報転送方法であって、負荷機器の監視情報を収集するとともに収集した監視情報を規定の書込時間ごとにデータベースに格納し、さらにデータベースに格納された監視情報の異常の有無を検出し、データベースに格納された監視情報が正常である間は書込時間よりも長く設定した送信時間ごとに監視情報をデータベースから読み出して監視装置に転送し、データベースに格納された監視情報に異常があるときには即時にデータベースから監視情報を読み出して監視装置に転送することを特徴とする情報転送方法。
【請求項２】
負荷機器とネットワークとの間に介在し負荷機器の監視情報をネットワークを介して監視装置に転送するゲートウェイ装置における情報転送方法であって、負荷機器の監視情報を収集するとともに収集した監視情報を規定の書込時間ごとにデータベースに格納し、さらに収集した監視情報の異常の有無を判定し、収集した監視情報が正常である間は収集した監視情報を書込時間よりも長く設定した送信時間ごとに監視装置に転送し、収集した監視情報に異常があるときには収集した監視情報を即時に監視装置に転送することを特徴とする情報転送方法。
【請求項３】
負荷機器とネットワークとの間に介在し負荷機器の監視情報をネットワークを介して監視装置に転送するゲートウェイ装置における情報転送方法であって、負荷機器の監視情報を収集し、収集した監視情報を規定の書込時間ごとにデータベースに格納するとともに収集した監視情報の異常の有無を判定し、収集した監視情報が正常である間は書込時間よりも長く設定した送信時間ごとに監視情報をデータベースから読み出して監視装置に転送し、収集した監視情報に異常があるときには即時にデータベースから監視情報を読み出して監視装置に転送することを特徴とする情報転送方法。
【請求項４】
負荷機器とネットワークとの間に介在し負荷機器の監視情報をネットワークを介して監視装置に転送するゲートウェイ装置における情報転送方法であって、負荷機器の監視情報を収集し、収集した監視情報の異常の有無を判定し、収集した監視情報が正常である間は収集した監視情報を規定の書込時間ごとにデータベースに格納するとともに収集した監視情報を書込時間よりも長く設定した送信時間ごとに監視装置に転送し、収集した監視情報に異常があるときには収集した監視情報をデータベースに書き込まずに即時に監視装置に転送することを特徴とする情報転送方法。
【請求項５】
前記データベースに格納される監視情報と同内容の監視情報を監視装置に転送し終えた後に、少なくとも転送をし終えた監視情報をデータベースから消去することを特徴とする請求項１ないし請求項４のいずれか１項に記載の情報転送方法。
【請求項６】
監視対象である負荷機器と、負荷機器の監視情報をネットワークを介して取得する監視装置と、負荷機器とネットワークとの間に介在し負荷機器の監視情報をネットワークを介して監視装置に転送するゲートウェイ装置とを備え、ゲートウェイ装置は、負荷機器の監視情報を収集するデータ収集手段と、監視情報の異常の有無を判定する異常判定手段と、データ収集手段が収集した監視情報のうち少なくとも正常な監視情報を規定の書込時間ごとに格納するデータベースと、監視情報を監視装置に転送するデータ転送手段とを備え、監視情報が正常である間は監視情報を書込時間よりも長く設定した送信時間ごとに監視装置に転送し、監視情報に異常があるときには監視情報を監視装置に即時に転送することを特徴とする情報転送システム。
【発明の詳細な説明】
【０００１】
【発明の属する技術分野】
本発明は、負荷機器の監視情報をネットワークを介して監視装置に転送する情報転送方法および情報転送システムに関するものである。
【０００２】
【従来の技術】
近年、ビルのような建物における照明器具や空調設備のような負荷機器の動作や舞台照明のような負荷機器の動作を監視するために、インタネットのようなネットワークを介して監視装置に負荷機器の監視情報を転送し、負荷機器の遠方に設けた監視装置によって負荷機器の動作を監視することが提案されている。監視装置は負荷機器の遠方に設けられるものであるから、図１６に示すように、負荷機器３とネットワーク４との間にゲートウェイ装置１を介在させてあり、ゲートウェイ装置１には負荷機器の監視情報の保存あるいは監視情報の伝送失敗に備えてデータベースＤＢ１を設けてある。すなわち、ゲートウェイ装置１は負荷機器３の監視情報をデータベースＤＢ１に格納するとともに監視装置２に転送するように構成される。監視装置２には負荷機器３の動作履歴を管理するために監視情報を蓄積するデータベースＤＢ２が設けられる。
【０００３】
上述した構成では、負荷機器３の監視情報をゲートウェイ装置１を通して監視装置２に転送しているから、監視情報はネットワーク４を介してデータベースＤＢ１からデータベースＤＢ２に転送されることになる。両データベースＤＢ１，ＤＢ２に監視情報を格納する技術としては、両データベースＤＢ１，ＤＢ２の動作を同期させてデータベースＤＢ１に監視情報を書き込むと同時にデータベースＤＢ２に監視情報を転送することが考えられている。
【０００４】
このような処理を実現するために、ゲートウェイ装置１には、データベースＤＢ１に格納された負荷機器３の監視情報に変化があったか否かを監視するデータ更新監視手段１１と、データベースＤＢ１に格納されている監視情報をネットワーク４を通して監視装置２に転送するデータ転送手段１２とを設けている。すなわち、ゲートウェイ装置１では、図１７のようにデータベースＤＢ１に格納された監視情報の変化がデータ更新監視手段１１において検出すると（Ｓ１）、データ転送手段１２によりデータベースＤＢ１に格納された監視情報を監視装置２に転送する（Ｓ２）。一方、監視装置２はデータ転送手段１２から監視情報が転送されるとデータベースＤＢ２に監視情報を格納するのである（Ｓ３）。このような動作により、両データベースＤＢ１，ＤＢ２に同じ内容の監視情報を格納することが可能になる。
【０００５】
【発明が解決しようとする課題】
ところで、上述のようにデータベースＤＢ１に格納される監視情報の変化を検出した時点でデータベースＤＢ１に格納された監視情報をデータベースＤＢ２に転送する技術を採用するには、ゲートウェイ装置１と監視装置２との常時接続を行うことが必要である。この場合、ゲートウェイ装置１と監視装置２との間ではトラフィックが頻繁に生じるから、ネットワーク４に対する負荷が大きくなるという問題がある。
【０００６】
本発明は上記事由に鑑みて為されたものであり、その目的は、ゲートウェイ装置と監視装置との間で常時接続を行う必要がなくネットワークの負荷増を軽減し、しかも負荷機器に異常が生じたときには監視装置に迅速に通知できるようにした情報転送方法および情報転送システムを提供することにある。
【０００７】
【課題を解決するための手段】
請求項１の発明は、負荷機器とネットワークとの間に介在し負荷機器の監視情報をネットワークを介して監視装置に転送するゲートウェイ装置における情報転送方法であって、負荷機器の監視情報を収集するとともに収集した監視情報を規定の書込時間ごとにデータベースに格納し、さらにデータベースに格納された監視情報の異常の有無を検出し、データベースに格納された監視情報が正常である間は書込時間よりも長く設定した送信時間ごとに監視情報をデータベースから読み出して監視装置に転送し、データベースに格納された監視情報に異常があるときには即時にデータベースから監視情報を読み出して監視装置に転送することを特徴とする。この方法によれば、負荷機器の監視情報に関する異常の有無をデータベースに蓄積した監視情報により検出しており、監視情報が正常である間には規定の書込時間ごとにデータベースに格納した監視情報を書込時間よりも長い送信時間ごとにネットワークを介して監視装置に転送するから、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減される。しかも、異常があれば即時にデータベースから監視情報を読み出して監視装置に転送するから、ゲートウェイ装置と監視装置との常時接続を行っていないにもかかわらず、負荷機器の異常に関する情報を発生から短時間で監視装置に通知することができる。
【０００８】
請求項２の発明は、負荷機器とネットワークとの間に介在し負荷機器の監視情報をネットワークを介して監視装置に転送するゲートウェイ装置における情報転送方法であって、負荷機器の監視情報を収集するとともに収集した監視情報を規定の書込時間ごとにデータベースに格納し、さらに収集した監視情報の異常の有無を判定し、収集した監視情報が正常である間は収集した監視情報を書込時間よりも長く設定した送信時間ごとに監視装置に転送し、収集した監視情報に異常があるときには収集した監視情報を即時に監視装置に転送することを特徴とする。この方法によれば、負荷機器の監視情報に関する異常の有無を収集した監視情報により判定しており、負荷機器の監視情報が正常である間には規定の送信時間ごとに監視情報を監視装置に転送するから、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減される。しかも、収集した監視情報に異常があるときには収集した監視情報を即時に監視装置に転送するから、ゲートウェイ装置と監視装置との常時接続を行っていないにもかかわらず、負荷機器の異常に関する情報を発生から短時間で監視装置に通知することができる。とくに、異常のある監視情報をデータベースから読み出すのではなく収集した監視情報をそのまま監視装置に転送するから、異常に関する監視情報を異常の発生から短時間で転送することができる。
【０００９】
請求項３の発明は、負荷機器とネットワークとの間に介在し負荷機器の監視情報をネットワークを介して監視装置に転送するゲートウェイ装置における情報転送方法であって、負荷機器の監視情報を収集し、収集した監視情報を規定の書込時間ごとにデータベースに格納するとともに収集した監視情報の異常の有無を判定し、収集した監視情報が正常である間は書込時間よりも長く設定した送信時間ごとに監視情報をデータベースから読み出して監視装置に転送し、収集した監視情報に異常があるときには即時にデータベースから監視情報を読み出して監視装置に転送することを特徴とする。この方法によれば、負荷機器の異常の有無を収集した監視情報によって判定しており、負荷機器の監視情報が正常である間には規定の送信時間ごとに監視情報を監視装置に転送するから、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減される。しかも、収集した監視情報に異常があるときには収集した監視情報を即時に監視装置に転送するから、ゲートウェイ装置と監視装置との常時接続を行っていないにもかかわらず、負荷機器の異常に関する情報を発生から短時間で監視装置に通知することができる。
【００１０】
請求項４の発明は、負荷機器とネットワークとの間に介在し負荷機器の監視情報をネットワークを介して監視装置に転送するゲートウェイ装置における情報転送方法であって、負荷機器の監視情報を収集し、収集した監視情報の異常の有無を判定し、収集した監視情報が正常である間は収集した監視情報を規定の書込時間ごとにデータベースに格納するとともに収集した監視情報を書込時間よりも長く設定した送信時間ごとに監視装置に転送し、収集した監視情報に異常があるときには収集した監視情報をデータベースに書き込まずに即時に監視装置に転送することを特徴とする。この方法によれば、負荷機器の異常の有無を収集した監視情報によって判定しており、負荷機器の監視情報が正常である間には規定の送信時間ごとに監視情報を監視装置に転送するから、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減される。しかも、収集した監視情報に異常があるときには収集した監視情報を即時に監視装置に転送するから、ゲートウェイ装置と監視装置との常時接続を行っていないにもかかわらず、負荷機器の異常に関する情報を発生から短時間で監視装置に通知することができる。とくに、収集した監視情報に異常があるときにはデータベースに監視情報を書き込まずに即時に監視装置に転送するから、データベースへの書込を行わない分だけ異常に関する情報を異常の発生から短時間で転送することができる。
【００１１】
請求項５の発明は、請求項１ないし請求項４の発明において、前記データベースに格納される監視情報と同内容の監視情報を監視装置に転送し終えた後に、少なくとも転送をし終えた監視情報をデータベースから消去することを特徴とする。この方法によれば、ゲートウェイ装置から監視装置への監視情報の転送が完了するとゲートウェイ装置に設けたデータベースの内容を消去するから、データベースとして大容量のものを用いる必要がなく低コストで提供することが可能になる。
【００１２】
請求項６の発明は、監視対象である負荷機器と、負荷機器の監視情報をネットワークを介して取得する監視装置と、負荷機器とネットワークとの間に介在し負荷機器の監視情報をネットワークを介して監視装置に転送するゲートウェイ装置とを備え、ゲートウェイ装置は、負荷機器の監視情報を収集するデータ収集手段と、監視情報の異常の有無を判定する異常判定手段と、データ収集手段が収集した監視情報のうち少なくとも正常な監視情報を規定の書込時間ごとに格納するデータベースと、監視情報を監視装置に転送するデータ転送手段とを備え、監視情報が正常である間は監視情報を書込時間よりも長く設定した送信時間ごとに監視装置に転送し、監視情報に異常があるときには監視情報を監視装置に即時に転送することを特徴とする。この構成によれば、正常時には送信時間ごとに監視装置に監視情報を転送するから、監視装置への監視情報の転送が間欠的であり、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減される。しかも、負荷機器の異常の有無を監視情報によって検出しており、監視情報が正常である間は書込時間ごとにデータベースに書き込み、監視情報に異常があるときには監視情報を監視装置に即時に転送するから、ゲートウェイ装置と監視装置との常時接続を行っていないにもかかわら負荷機器の異常に関する情報については異常が発生してから短時間で監視装置に通知することができる。
【００１３】
【発明の実施の形態】
（第１の実施の形態）
本実施形態は、図１に示すように、基本的には従来構成と同様に、負荷機器３の監視情報をゲートウェイ装置１で収集するとともに、ネットワーク４を介して監視情報を監視装置２に転送する構成を有する。また、ゲートウェイ装置１には負荷機器３の監視情報を格納するデータベースＤＢ１が設けられ、監視装置２にはネットワーク４を通して取得した負荷機器３の監視情報を格納するデータベースＤＢ２が設けられる。ただし、本実施形態のゲートウェイ装置１は従来構成とは異なる構成を有する。以下の説明において負荷機器３として舞台照明における照明負荷を想定し、調光卓を用いて照明負荷の調光制御を行う例を示すが、負荷機器３はスイッチや調光卓のような操作側と照明器具のような被操作側とを含んでいてもよい。
【００１４】
また、図示例ではそれぞれアドレスを設定した複数台の負荷機器３が制御線Ｌｔに接続され、制御線Ｌｔを通して各負荷機器３に各種指示がなされ、また各種指示に対する各負荷機器３の応答が制御線Ｌｔに送出される構成を採用している。すなわち、複数台の負荷機器３によって１つのネットワークを構成している。なお、制御線Ｌｔに接続した負荷機器３に指示を与える中央制御装置を設けて集中制御を行う構成とするか、負荷機器３が自律的に動作し負荷機器３が相互に指示を与えるようにして分散制御を行う構成とするかは問わない。集中制御か分散制御であるかによらず、ゲートウェイ装置１では制御線Ｌｔを通過する信号を監視することによって負荷機器３の監視情報を取得することができる。また、監視装置２についてもネットワークを構築していてもよい。
【００１５】
本実施形態に用いるゲートウェイ装置１は、負荷機器３の監視情報を制御線Ｌｔから収集するデータ収集手段１３を備え、データ収集手段１３が収集した負荷機器３の監視情報は、データ格納手段１４によって規定した書込時間ごとにデータベースＤＢ１に書き込まれる。すなわち、データ収集手段１３は、図２に示すように、負荷機器３に関する監視情報を収集し（Ｓ１）、収集した監視情報をデータ格納手段１４に引き渡すのであって（Ｓ２）、データ格納手段１４は、図３に示すように、データ収集手段１３から負荷機器３の監視情報が引き渡されると（Ｓ１）、書込時間の経過を待って（Ｓ２）、データベースＤＢ１に所定のフォーマットで監視情報を書き込む（Ｓ３）。データ収集手段１３は監視情報の収集を随時行っており、通常は負荷機器３の動作状態が変化するたびに（つまり、イベントが発生するたびに）監視情報を収集する。監視情報は随時発生するから書込時間は監視情報を漏れなくデータベースＤＢ１に書き込むことができるように監視情報の発生する頻度に応じて比較的短い時間に設定される。
【００１６】
データ書込手段１４がデータベースＤＢ１に格納する監視情報は、図４（ａ）に示すフォーマットを有している。すなわち、監視情報は、イベントの発生した時刻である時刻情報と、イベントの種類別にあらかじめ設定されているイベント番号と、各負荷機器３の所在を示すイベント要求元と、負荷機器３を個別に特定するキーコードとからなる４つ組になっている。ここで、一例として負荷機器３がテレビ局の各スタジオに配置された照明装置や昇降装置（照明装置や背景パネルを昇降する装置）である場合を想定する。この場合、負荷機器３の動作を指示するための操作卓、操作卓からの指示により照明装置への供給電力を制御する調光器を備えた調光制御盤、操作卓からの指示により昇降装置の動作を制御する昇降制御盤などがスタジオごとに設けられ、操作卓、調光制御盤、昇降制御盤などから負荷機器３の監視情報が得られるから、負荷機器３はテレビ局−スタジオ−操作卓、調光制御盤、昇降制御盤−負荷機器３という階層関係になっているとみなすことができる。そこで、操作卓、調光制御盤、昇降制御盤を識別するための識別符号をイベント要求元とし、各負荷機器３の識別符号をキーコードとすれば、イベント要求元とキーコードとにより負荷機器３を特定することができる。
【００１７】
上述した監視情報は、負荷機器３が集中制御されている場合には中央制御装置から与えられ、負荷機器３が分散制御を行う場合には各負荷機器３から与えられる。他方のレコードは図４（ｂ）に示すように、上述したイベント番号と、イベントの種類を示すイベント名称と、イベント名称に対応付けて異常の程度を示す故障レベルと、後述するデータ転送手段１５が監視情報を監視装置２に転送する時間間隔を規定するための転送時間間隔との４つ組になる。図４（ｂ）に示すレコードはデータベースＤＢ１にあらかじめ設定されたテーブルであって、データ書込手段１４は図４（ａ）に示すフォーマットで監視情報をデータベースＤＢ１に書き込む。したがって、図４（ａ）のフォーマットを有した監視情報のうちイベント番号を図４（ｂ）のフォーマットを有するテーブルに照合することによってイベントが異常か否かを判断することができる。
【００１８】
図４に示した監視情報とテーブルとの具体例をそれぞれ図５（ａ）（ｂ）に示す。図示例において、時刻情報の「２００１．１１．２０．１５−５０−１０」は、２００１年１１月２０日１５時５０分１０秒を示す。ここで、負荷機器３の異常の有無は、故障レベルの内容に表されており、図示例では「重故障」は異常があることを意味し、「−」は正常であることを意味する。また、転送時間間隔の欄は、監視情報を監視装置２に転送するタイミングを規定しており、「発生即時」は監視情報を監視装置２に即時に転送することを意味し、「定期的（１回／１日）」は１日に１回だけ監視情報を転送することを意味する。つまり、この場合の送信時間は１日になる。
【００１９】
監視情報を監視装置２に転送する処理は、ゲートウェイ装置１に設けたデータ転送手段１５が行う。本実施形態におけるデータ転送手段１５は、データベースＤＢ１から監視情報を読み出して監視装置２に転送する。ここで、データ転送手段１５はデータベースＤＢ１の監視情報を随時監視しており、データベースＤＢ１から読み出した上述のテーブルとの照合によって異常の有無を検出する。つまり、データ転送手段１５はデータベースＤＢ１に格納された監視情報を監視することにより負荷機器３の異常の有無を検出する異常判定手段としての機能も含んでいる。
【００２０】
データ転送手段１５において負荷機器３の異常が検出されない正常時、つまり転送時間間隔の内容が「定期的（１回／１日）」である場合には、データ格納手段１４が監視情報をデータベースＤＢ１に書き込んでいる書込時間よりも長く設定された送信時間（つまり１日）ごとに監視装置２に負荷機器３の監視情報を転送する。監視装置２に転送する監視情報は、送信時間の経過毎にデータ転送手段１５がデータベースＤＢ１から読み出す。ここで、負荷機器３の異常が検出されたときに、つまり転送時間間隔の内容が「発生即時」である場合には、データ転送手段１５においてデータベースＤＢ１から監視情報を即時に読み出して監視装置２に転送する。
【００２１】
データ転送手段１５の動作をまとめると、図６に示すようになる。すなわち、データベースＤＢ１に格納された監視情報を監視し（Ｓ１）、監視情報をテーブルと照合することによって異常の有無を検出し（Ｓ２）、監視情報が正常である間には前回の転送後から１日（送信時間）が経過した時点で（Ｓ３）、データベースＤＢ１から監視情報を読み出し（Ｓ４）、この監視情報を監視装置２のデータベースＤＢ２に転送する（Ｓ５）。また、データ転送手段１５がデータベースＤＢ１に格納された監視情報の異常を検出すると、前回の転送から送信時間が経過するのを待たずに、即時にデータベースＤＢ１から監視情報を読み出し（Ｓ４）、この監視情報を監視装置２に転送する（Ｓ５）。ここで、データ転送手段１５によって異常を検出した直後にデータベースＤＢ１から監視情報を読み出して監視装置２に転送するようにしたことによって、監視情報を前回転送した後に発生した監視情報も転送すべき監視情報としてデータベースＤＢ１に格納されている可能性が高いから、異常の発生直前の監視情報を異常の発生時点の監視情報とともに監視装置２に転送することができ、異常の発生箇所の発見に役立つ情報を得ることができる。
【００２２】
上述のように、負荷機器３の監視情報をデータベースＤＢ１に一旦格納してから監視装置２に転送するに際して、負荷機器３が正常に動作しているときには、負荷機器３の監視情報をデータベースＤＢ１に書き込む時間間隔（書込時間）と、データベースＤＢ１から監視情報を読み出して監視装置２に転送する時間間隔（送信時間）とを異ならせ、しかも送信時間を書込時間よりも長く設定してデータベースＤＢ１に監視情報を書き込む処理と監視装置２に監視情報を転送する処理とを非同期で行っているから、負荷機器３のすべての監視情報を監視装置２に伝送する場合に比較すると、ネットワーク４のトラフィックを低減させることができネットワーク４の負荷を軽減することができる。
【００２３】
さらに、データ転送手段１５において負荷機器３の異常を検出すると、負荷機器３の監視情報を監視装置２に即時に転送するから、ゲートウェイ装置１と監視装置２との常時接続を行うことなく緊急度が高い負荷機器３の異常については負荷機器３の異常が発生してから短時間で監視装置２に通知することができる。つまり、データ転送手段１５では緊急度の高い監視情報が発生すれば他処理に優先して監視装置２に転送する処理を優先させるのである。
【００２４】
ところで、データベースＤＢ１に格納された負荷機器３の監視情報をデータ転送手段１５を通して監視装置２に転送すると、監視装置２では負荷機器３の監視情報をデータベースＤＢ２に書き込むから、監視情報の転送後にはデータベースＤＢ１の監視情報は不要になる。そこで、監視情報の転送が完了した後に、少なくとも転送が完了した監視情報についてはデータベースＤＢ１から消去するようにすれば、データベースＤＢ１を構成する記憶装置（たとえば、ハードディスク装置）に大容量のものを用いる必要がなく低コストでゲートウェイ装置１を提供することが可能になる。ここに、データベースＤＢ１に格納された監視情報の消去を行う処理は、データベースＤＢ１自身で行わせるか、またはデータ転送手段１５によって行う。データベースＤＢ１自身で消去処理を行わせる場合にはデータベースＤＢ１を適宜のタイミングで初期化する構成としてもよい。
【００２５】
上述したゲートウェイ装置１は、マイクロコンピュータ（以下、「マイコン」という）に適宜のプログラムを実行させるとともに、データベースＤＢ１を構築する構成をマイコンに付加することによって実現することができる。したがって、データ収集手段１３、データ格納手段１４、データ転送手段１５はプログラムの各タスクとして実現される。また、上述した構成ではデータ転送手段１５をゲートウェイ装置１にのみ設けているが、データ転送手段１５の機能の一部を監視装置２に持たせるようにしてもよい。
【００２６】
（第２の実施の形態）
第１の実施の形態では、ゲートウェイ装置１に設けたデータベースＤＢ１に負荷機器３の監視情報を書き込んだ後にデータ転送手段１５がデータベースＤＢ１から監視情報を読み出して監視装置２に転送する構成を採用していたが、本実施形態では、図７に示すように、データ転送手段１５においてデータベースＤＢ１から監視情報を読み出すのではなく、データ転送手段１５にデータ収集手段１３から負荷機器３の監視情報を直接引き渡すようにしてある。つまり、本実施形態では、データ収集手段１３がデータ格納手段１４に監視情報を引き渡すと同時にデータ転送手段１５にも監視情報を引き渡すようにしてある。
【００２７】
図８にデータ収集手段１３の動作を示す。データ収集手段１３では、負荷機器３の監視情報を収集し（Ｓ１）、収集した監視情報をデータ格納手段１４に渡してデータベースＤＢ１に書き込ませるとともに、データ転送手段１５にも監視情報を引き渡す（Ｓ２）。データ転送手段１５では、図９に示すように、データ収集手段１３から監視情報を受け取ると（Ｓ１）、異常の有無を判定する（Ｓ２）。異常の有無の判定は監視情報として与えられるイベント番号とデータベースＤＢ１に格納されたテーブルとを照合することによって行う。監視情報が正常であれば、前回の監視情報の転送から送信時間が経過した後に（Ｓ３）、データ収集手段１３から受け取った監視情報を監視装置２に転送する（Ｓ４）。また、監視情報に異常があるときには（Ｓ２）、データ収集手段１３から受け取った監視情報を即時に監視装置２に転送する（Ｓ４）。ここに、データ収集手段１３からデータ格納手段１４に引き渡された監視情報は、第１の実施の形態と同様に、データ格納手段１４によって規定の書込時間ごとにデータベースＤＢ１に書き込まれるのであって、上述した送信時間は書込時間よりも長く設定されている。また、データベースＤＢ１に格納した監視情報は、データ転送手段１５により同内容の監視情報が監視装置２に転送された後には消去するのが望ましい。
【００２８】
他の構成および動作は第１の実施の形態と同様であり、本実施形態ではデータベースＤＢ１に格納した監視情報を監視装置２に転送するのではなく、データ収集手段１３において収集した監視情報をデータベースＤＢ１を通さずに監視装置２に転送しているが、少なくとも監視情報が監視装置２に転送されるまではデータ収集手段１３が収集した監視情報がデータベースＤＢ１に保持されるから、監視装置２への伝送が失敗したとしても、伝送の失敗によって負荷機器３の監視情報が消失することはない。また、第１の実施の形態と同様に、正常時には規定の送信時間ごとに監視情報を監視装置２に転送しておりネットワーク４を間欠的に使用するから、ネットワーク４の負荷が増加することはない。さらに、データ収集手段１３が収集した監視情報によって負荷機器３の異常が検出されたときに、データ転送手段１５では監視情報を即時に監視装置２に転送するから、ゲートウェイ装置１と監視装置２とは常時接続を行っていないにもかかわらず緊急度が高い負荷機器３の異常については、負荷機器３の異常が発生してから短時間で監視装置２に通知することができる。しかも、異常を検出したときにデータベースＤＢ１から監視情報を読み出すのではなく、データ収集手段１３から受け取った監視情報をそのまま監視装置２に転送するから、異常の検出から監視情報を監視装置２に転送するまでの時間が第１の実施の形態よりも短縮される。なお、本実施形態ではデータベースＤＢ１から監視情報を読み出していないからデータベースＤＢ１はいわばバックアップとして用いていることになるが、正常時にはデータベースＤＢ１から監視情報を読み出して監視装置２に転送し、異常時のみデータ収集手段１３から受け取った監視情報をそのまま監視装置２に転送するように、図９におけるステップＳ３，Ｓ４の間にデータベースＤＢ１から監視情報を読み込む処理を付加してもよい。
【００２９】
（第３の実施の形態）
本実施形態は、図１０に示す構成を有し、第１の実施の形態と同様にデータ転送手段１５がデータベースＤＢ１から取得した監視情報を監視装置２に転送するものである。ただし、第１の実施の形態においては、負荷機器３の異常の有無をデータ転送手段１５において判定しているのに対して、本実施形態ではデータ収集手段１３において負荷機器３の異常の有無を判定する点が相違する。
【００３０】
すなわち、データ収集手段１３は図１１に示すように負荷機器３の監視情報を収集し（Ｓ１）、データベースＤＢ１に書き込む監視情報をデータ格納手段１４に引き渡すとともに（Ｓ２）、監視情報の異常の有無を判定する（Ｓ３）。監視情報の異常の有無の判定は第２の実施の形態と同様に、収集した監視情報とデータベースＤＢ１のテーブルとの照合によって行う。データ格納手段１４に引き渡された監視情報は第１の実施の形態と同様に規定の書込時間ごとにデータベースＤＢ１に書き込まれる。ここで、監視情報が正常である間には、監視情報をデータ転送手段１５に引き渡してから規定の送信時間が経過した後に（Ｓ４）、データ転送手段１５にタスクを渡す（Ｓ５）。つまり、ステップＳ５ではデータ転送手段１５に監視情報を渡すのではなく、データ転送手段１５を起動することになる。一方、監視情報に異常があれば（Ｓ３）、タスクをデータ転送手段１５に即時に引き渡す（Ｓ５）。
【００３１】
データ転送手段１５ではデータ収集手段１３からタスクが渡されると、図１２のようにデータベースＤＢ１から監視情報を読み出し（Ｓ１）、読み出した監視情報を監視装置２に転送する（Ｓ２）。つまり、本実施形態のデータ転送手段１５はデータ収集手段１３からタスクが引き渡されるとデータベースＤＢ１からデータを読み出して監視装置２に転送する処理のみを行う。ここで、データ収集手段１３が異常を検出した時点では、異常の検出された監視情報を含めて監視情報を前回転送した後に収集した監視情報がデータベースＤＢ１に格納されている可能性が高いから、異常の検出された監視情報とともに異常が検出される直前の監視情報も監視装置２に転送することができる。他の構成および動作は第１の実施の形態と同様である。
【００３２】
したがって、第１の実施の形態と同様に、正常時には監視装置２に対して負荷機器３の監視情報を送信時間ごとに間欠的に転送するから、ネットワーク４のトラフィックの増加が抑制される。その一方で、データ収集手段１３が負荷機器３の異常を検出すると、異常の検出された監視情報を監視装置２に即時に転送するから、ゲートウェイ装置１と監視装置２との常時接続を行うことなく負荷機器３の異常の発生から短時間で監視装置２に通知することができる。しかも、異常の検出された監視情報とともにデータベースＤＢ１に格納されている監視情報を監視装置２に転送するから、異常の検出された監視情報とともに異常が発生する直前の監視情報も監視装置２に転送することができ、異常に対する対処方法を検討しやすくなる。
【００３３】
（第４の実施の形態）
本実施形態は、第２の実施の形態におけるデータ書込手段１４の機能をデータ転送手段１５に統合したものであって、図１３に示すように、第２の実施の形態の構成からデータ書込手段１４を省略した構成になっている。ただし、第２の実施の形態におけるデータ書込手段１４では監視情報が正常か異常かにかかわらずすべての監視情報をデータベースＤＢ１に格納するとともに監視装置２に転送しているのに対して、本実施形態ではデータベースＤＢ１には正常な監視情報のみを格納し、監視装置２には正常か異常かにかかわらずすべての監視情報を転送する点が相違する。
【００３４】
すなわち、図１４に示すように、データ収集手段１３は各負荷機器３の監視情報を収集し（Ｓ１）、データ転送手段１５に引き渡す（Ｓ２）。一方、データ転送手段１５は、図１５に示すように、データ収集手段１３から監視情報を受け取ると（Ｓ１）、監視情報における異常の有無を判定し（Ｓ２）、正常であれば書込時間ごとに監視情報をデータベースＤＢ１に格納する（Ｓ３，Ｓ４）。また、データ転送手段１５では、監視装置２に正常な監視情報を前回転送してから規定の送信時間が経過すると（Ｓ５）、次の正常な監視情報を監視装置２に転送する（Ｓ６）。また、データ転送手段１５では、ステップＳ２において監視情報に異常を検出すると、送信時間の経過を待たずに異常である監視情報を即時に監視装置２に転送する（Ｓ６）。なお、第１の実施の形態と同様にデータベースＤＢ１に格納したものと同内容の監視情報を監視装置２に転送し終えた後には、データベースＤＢ１に格納した監視情報を消去する。他の構成および動作は第２の実施の形態と同様である。すなわち、本実施形態のデータベースＤＢ１は監視装置２に監視情報を転送するまでの監視情報のバックアップを保存する機能を有する。
【００３５】
本実施形態の構成では、他の実施の形態と同様に負荷機器３の監視情報が正常であれば、送信時間ごとに監視情報を監視装置２に間欠的に転送するから、ネットワーク４の負荷増を抑制することができ、また異常が生じたときには監視情報を監視装置２に即時に転送するから、緊急度の高い監視情報については監視装置２に短時間で通知することができる。また、本実施形態においても第２の実施の形態と同様に、正常時にはデータベースＤＢ１から監視情報を読み出して監視装置２に転送し、異常時のみデータ収集手段１３から受け取った監視情報をそのまま監視装置２に転送するように、図１５におけるステップＳ５，Ｓ６の間にデータベースＤＢ１から監視情報を読み込む処理を付加してもよい。
【００３６】
なお、上述した各実施形態では、データベースＤＢ１に設けたテーブル（図５（ｂ）参照）においてあらかじめ設定されている転送時間間隔を各負荷機器３に個別に対応付けることによって、各負荷機器３ごとの監視情報を選択した転送時間間隔で個々に監視装置２に転送する構成例を示したが、以下の手順で監視装置２に監視情報を転送するようにしてもよい。
【００３７】
すなわち、イベント番号が一致するイベントを発生した負荷機器３の識別符号（イベント要求元とキーコードとの組）をグループとしてまとめて保存するファイルを設け、各グループにおいてそれぞれ最初にイベントを生じた負荷機器３に対してテーブルを用いて転送時間間隔を決定し、その転送時間間隔が経過するまでに同イベントを発生した負荷機器３については転送時間間隔を決めずに、ファイル内で最初にイベントを発生した負荷機器３とともに一括して監視装置２に通知するするようにしてもよい。つまり、イベントごとに負荷機器３の識別符号をまとめて監視情報として監視装置２に転送することになる。この場合、グループの監視情報を監視装置２に転送した後には、当該グループのイベントを次に発生した負荷機器３に対して次の転送時間間隔が規定される。ただし、故障レベルが最大である「重故障」に対応するグループは転送時間間隔が「発生即時」であるからファイルの中身はつねに空になる。上述したファイルは、上述したデータベースＤＢ１の中に設けることができるが、ゲートウェイ装置１においてデータベースＤＢ１とは別に一時記憶領域として設けてもよい。
【００３８】
【発明の効果】
請求項１の発明は、負荷機器とネットワークとの間に介在し負荷機器の監視情報をネットワークを介して監視装置に転送するゲートウェイ装置における情報転送方法であって、負荷機器の監視情報を収集するとともに収集した監視情報を規定の書込時間ごとにデータベースに格納し、さらにデータベースに格納された監視情報の異常の有無を検出し、データベースに格納された監視情報が正常である間は書込時間よりも長く設定した送信時間ごとに監視情報をデータベースから読み出して監視装置に転送し、データベースに格納された監視情報に異常があるときには即時にデータベースから監視情報を読み出して監視装置に転送することを特徴としているのであって、負荷機器の監視情報に関する異常の有無をデータベースに蓄積した監視情報により検出しており、監視情報が正常である間には規定の書込時間ごとにデータベースに格納した監視情報を書込時間よりも長い送信時間ごとにネットワークを介して監視装置に転送するから、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減されるという利点がある。しかも、異常があれば即時にデータベースから監視情報を読み出して監視装置に転送するから、ゲートウェイ装置と監視装置との常時接続を行っていないにもかかわらず、負荷機器の異常に関する情報を発生から短時間で監視装置に通知することができるという利点がある。
【００３９】
請求項２の発明は、負荷機器とネットワークとの間に介在し負荷機器の監視情報をネットワークを介して監視装置に転送するゲートウェイ装置における情報転送方法であって、負荷機器の監視情報を収集するとともに収集した監視情報を規定の書込時間ごとにデータベースに格納し、さらに収集した監視情報の異常の有無を判定し、収集した監視情報が正常である間は収集した監視情報を書込時間よりも長く設定した送信時間ごとに監視装置に転送し、収集した監視情報に異常があるときには収集した監視情報を即時に監視装置に転送することを特徴としているのであって、負荷機器の監視情報に関する異常の有無を収集した監視情報により判定しており、負荷機器の監視情報が正常である間には規定の送信時間ごとに監視情報を監視装置に転送するから、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減されるという利点がある。しかも、収集した監視情報に異常があるときには収集した監視情報を即時に監視装置に転送するから、ゲートウェイ装置と監視装置との常時接続を行っていないにもかかわらず、負荷機器の異常に関する情報を発生から短時間で監視装置に通知することができるという利点がある。とくに、異常のある監視情報をデータベースから読み出すのではなく収集した監視情報をそのまま監視装置に転送するから、異常に関する監視情報を異常の発生から短時間で転送することができるという利点がある。
【００４０】
請求項３の発明は、負荷機器とネットワークとの間に介在し負荷機器の監視情報をネットワークを介して監視装置に転送するゲートウェイ装置における情報転送方法であって、負荷機器の監視情報を収集し、収集した監視情報を規定の書込時間ごとにデータベースに格納するとともに収集した監視情報の異常の有無を判定し、収集した監視情報が正常である間は書込時間よりも長く設定した送信時間ごとに監視情報をデータベースから読み出して監視装置に転送し、収集した監視情報に異常があるときには即時にデータベースから監視情報を読み出して監視装置に転送することを特徴としているのであって、負荷機器の異常の有無を収集した監視情報によって判定しており、負荷機器の監視情報が正常である間には規定の送信時間ごとに監視情報を監視装置に転送するから、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減されるという利点がある。しかも、収集した監視情報に異常があるときには収集した監視情報を即時に監視装置に転送するから、ゲートウェイ装置と監視装置との常時接続を行っていないにもかかわらず、負荷機器の異常に関する情報を発生から短時間で監視装置に通知することができるという利点がある。
【００４１】
請求項４の発明は、負荷機器とネットワークとの間に介在し負荷機器の監視情報をネットワークを介して監視装置に転送するゲートウェイ装置における情報転送方法であって、負荷機器の監視情報を収集し、収集した監視情報の異常の有無を判定し、収集した監視情報が正常である間は収集した監視情報を規定の書込時間ごとにデータベースに格納するとともに収集した監視情報を書込時間よりも長く設定した送信時間ごとに監視装置に転送し、収集した監視情報に異常があるときには収集した監視情報をデータベースに書き込まずに即時に監視装置に転送することを特徴としているのであって、負荷機器の異常の有無を収集した監視情報によって判定しており、負荷機器の監視情報が正常である間には規定の送信時間ごとに監視情報を監視装置に転送するから、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減されるという利点がある。しかも、収集した監視情報に異常があるときには収集した監視情報を即時に監視装置に転送するから、ゲートウェイ装置と監視装置との常時接続を行っていないにもかかわらず、負荷機器の異常に関する情報を発生から短時間で監視装置に通知することができるという利点がある。とくに、収集した監視情報に異常があるときにはデータベースに監視情報を書き込まずに即時に監視装置に転送するから、データベースへの書込を行わない分だけ異常に関する情報を異常の発生から短時間で転送することができるという利点がある。
【００４２】
請求項５の発明は、請求項１ないし請求項４の発明において、前記データベースに格納される監視情報と同内容の監視情報を監視装置に転送し終えた後に、少なくとも転送をし終えた監視情報をデータベースから消去することを特徴としており、ゲートウェイ装置から監視装置への監視情報の転送が完了するとゲートウェイ装置に設けたデータベースの内容を消去するから、データベースとして大容量のものを用いる必要がなく低コストで提供することが可能になるという利点がある。
【００４３】
請求項６の発明は、監視対象である負荷機器と、負荷機器の監視情報をネットワークを介して取得する監視装置と、負荷機器とネットワークとの間に介在し負荷機器の監視情報をネットワークを介して監視装置に転送するゲートウェイ装置とを備え、ゲートウェイ装置は、負荷機器の監視情報を収集するデータ収集手段と、監視情報の異常の有無を判定する異常判定手段と、データ収集手段が収集した監視情報のうち少なくとも正常な監視情報を規定の書込時間ごとに格納するデータベースと、監視情報を監視装置に転送するデータ転送手段とを備え、監視情報が正常である間は監視情報を書込時間よりも長く設定した送信時間ごとに監視装置に転送し、監視情報に異常があるときには監視情報を監視装置に即時に転送するものであり、正常時には送信時間ごとに監視装置に監視情報を転送するから、監視装置への監視情報の転送が間欠的であり、ゲートウェイ装置と監視装置とが間欠的に接続されることによって監視情報をデータベースに書き込むたびに監視情報を監視装置に転送する場合に比較するとネットワークの使用頻度が軽減されてネットワークの負荷増が軽減されるという利点がある。しかも、負荷機器の異常の有無を監視情報によって検出しており、監視情報が正常である間は書込時間ごとにデータベースに書き込み、監視情報に異常があるときには監視情報を監視装置に即時に転送するから、ゲートウェイ装置と監視装置との常時接続を行っていないにもかかわら負荷機器の異常に関する情報については異常が発生してから短時間で監視装置に通知することができるという利点がある。
【図面の簡単な説明】
【図１】本発明の第１の実施の形態を示すブロック図である。
【図２】同上におけるデータ収集手段の動作説明図である。
【図３】同上におけるデータ格納手段の動作説明図である。
【図４】同上のデータ構造を示す図である。
【図５】同上における監視情報の具体例を示す図である。
【図６】同上におけるデータ転送手段の動作説明図である。
【図７】本発明の第２の実施の形態を示すブロック図である。
【図８】同上におけるデータ収集手段の動作説明図である。
【図９】同上におけるデータ転送手段の動作説明図である。
【図１０】本発明の第３の実施の形態を示すブロック図である。
【図１１】同上におけるデータ収集手段の動作説明図である。
【図１２】同上におけるデータ転送手段の動作説明図である。
【図１３】本発明の第４の実施の形態を示すブロック図である。
【図１４】同上におけるデータ収集手段の動作説明図である。
【図１５】同上におけるデータ転送手段の動作説明図である。
【図１６】従来例を示すブロック図である。
【図１７】同上の動作説明図である。
【符号の説明】
１　ゲートウェイ装置
２　監視装置
３　負荷機器
４　ネットワーク
１３　データ収集手段
１４　データ格納手段
１５　データ転送手段
ＤＢ１　データベース
ＤＢ２　データベース
【図１】
2004054357.tif 000003
【図２】
2004054357.tif 000004
【図３】
2004054357.tif 000005
【図４】
2004054357.tif 000006
【図５】
2004054357.tif 000007
【図６】
2004054357.tif 000008
【図７】
2004054357.tif 000009
【図８】
2004054357.tif 000010
【図９】
2004054357.tif 000011
【図１０】
2004054357.tif 000012
【図１１】
2004054357.tif 000013
【図１２】
2004054357.tif 000014
【図１３】
2004054357.tif 000015
【図１４】
2004054357.tif 000016
【図１５】
2004054357.tif 000017
【図１６】
2004054357.tif 000018
【図１７】
2004054357.tif 000019